(57)【特許請求の範囲】
【請求項１】
固定側金型が取り付けられている固定盤と、可動側金型が取り付けられている可動盤が、互いに上下に離間して水平に設けられている型締装置を備えた電動竪型射出成形機において、
型締工程において、前記型締装置を駆動する型締用サーボモータの駆動トルクを監視して、該駆動トルクが最大となるピークトルクが所定の閾値を越えない場合には、金型の取付状態が異常であると判断することを特徴とする金型取付異常の検出方法。
【請求項２】
固定側金型が取り付けられている固定盤と、可動側金型が取り付けられている可動盤が、互いに上下に離間して水平に設けられている型締装置を備えた電動竪型射出成形機において、
型締工程において、前記型締装置を駆動する型締用サーボモータの駆動トルクを監視して、該駆動トルクが最大となるピークトルクと型締完了時における駆動トルクの差が所定の差分閾値を越えない場合には、金型の取付状態が異常であると判断することを特徴とする金型取付異常の検出方法。
【請求項３】
請求項１または２に記載の方法において、金型の取付状態が異常であると判断したら成形サイクルを停止することを特徴とする電動竪型射出成形機の運転方法。
【発明の詳細な説明】
【技術分野】
【０００１】
本発明は、電動竪型射出成形機において、型盤装置への金型の付け忘れ、サイズの異なる金型の誤取付等の、金型の取付状態の異常を検出する金型取付異常検出方法に関するものである。
【背景技術】
【０００２】
射出成形機は、従来周知のように一対の金型、これらの金型を型締する型締装置、樹脂材料を溶融して金型内に射出する射出装置等から構成され、竪型射出成形機は、型締装置を構成している可動盤と固定盤が水平になるように設けられ可動盤が垂直方向に移動して型開閉されるようになっている。このような型締装置、射出装置をサーボモータで駆動する電動竪型射出成形機は、コンパクトであると共に設置場所が小さくて済むという利点を備えている。電動竪型射出成形機も、他の射出成形機と同様に色々な安全対策が採られており、色々な方法が提案されいる。例えば、金型を開くときにガイドピンのカジリや抜け不良によって金型が破損することを防止する方法は特許文献１に、金型間に異物が挟まれて金型が破損することを防止する方法は特許文献２、３に、型締装置を適切に駆動するようにして型締装置を保護する方法は特許文献４、５において提案されている。
【先行技術文献】
【特許文献】
【０００３】
【特許文献１】特開２００９−１６６４６５号公報
【特許文献２】特許第３８８１６３３号公報
【特許文献３】特許第３７９５３２３号公報
【特許文献４】特開２０１０−４２６８９号公報
【特許文献５】特開２０１０−１３７５４２号公報
【０００４】
特許文献１には、金型を型開するとき型開閉用のサーボモータの出力トルクを監視して、金型のガイドピンのカジリや抜け不良を検出し、これによって金型や型締装置の故障を防止する方法が記載されている。特許文献１によると、型開するとき、型開量に応じた型開位置毎に判定用のトルクを設定して、出力トルクの異常を検出するようになっている。従って金型の型開時の状態をきめ細かく判断でき、異常を確実に検出することができる。
【０００５】
特許文献２には、型閉動作をするときサーボモータのトルク、または速度を検出し、これらを微分して得られる微分値が所定の閾値を越えたら、金型に異物が挟まれていると判断する方法が記載されている。この方法においては微分値のみで異常を判断するようにする。従って温度変化等の外乱によって型締装置の特性が変化してサーボモータのトルクや速度が変化したとしても、金型間に異物が挟まれたときに、これを確実に検出することができる。
【０００６】
特許文献３に記載の方法は、型締装置を試運転するいわゆる試型閉を予め行って、型閉動作における物理量、例えばサーボモータの速度、出力トルク等を測定し、それぞれの物理量に対して異常を判断するための閾値を決定する。そして実際の射出サイクルにおいて、型閉動作における物理量を検出して、それぞれの閾値を越えたときに異常が発生したものと判断する。従って金型間に異物が挟まれても、容易にこれを検出することができる。
【０００７】
特許文献４に記載の方法は、型締装置のサーボモータのトルク値を、金型タッチ位置から型締完了位置まで積分して型締に要する仕事量を算出し、基準となる基準仕事量と比較する。これによって型締力を補正する。従って型締装置を適切に運転することができるので、型締装置を保護することができる。また特許文献５に記載の方法は、型締装置のサーボモータにおいて、金型タッチ位置から型締完了位置までに供給したエネルギーを求め、得られたエネルギーと型締装置の弾性係数とから型締力を推定する。この型締力が所定の範囲に入っていない場合、型締装置が異常であるとみなして成形サイクルを停止する。従って型締力センサを使用しなくても、適切に型締力を算出でき、型締装置を安全に運転させることができる。
【発明の概要】
【発明が解決しようとする課題】
【０００８】
特許文献１の方法によれば、金型の型開時の異常を検出することができるし、特許文献２、３の方法によれば金型に異物が挟まれたことを検出することができる。また特許文献４、５の方法によれば、型締装置を適切に運転することができ、型締装置を保護することができる。従ってそれぞれの問題を解決する方法としてこれらの方法は優れている。しかしながら、電動竪型射出成形機には、その成形方法にもよるが、特許文献１〜５に記載のいずれの方法によっても解決できない固有の問題が生じることがある。具体的に説明すると、電動竪型射出成形機において、例えばインサート成形等の成形を行う場合には、安全ドアの代わりにライトカーテンが設けられる。インサート品を操作するためのロボットアームを金型内に出し入れし易いようにするためであり、他の成形方法においても同様の要求はあり得る。このライトカーテンによって操作者の安全はある程度確保されているが、型締装置への金型の取付が異常な場合には、危険がある。例えば型締装置に金型を取付忘れていたり、異なるサイズの金型を取り付けていたり、上下の金型のうち一方だけを交換してしまった場合には、型締装置を駆動して型閉しても金型は型閉せず、開いた状態になってしまう。この状態で射出してしまうと溶融樹脂は外部に飛散する。ライトカーテンによっては、溶融樹脂の飛散を完全に遮ることができないので操作者の安全を完全に確保することはできない。従ってこのような金型の取付異常を検出して射出を停止する必要があるが、従来このような異常の検出方法は提案されていないし、特許文献１〜５のいずれの方法によっても金型の取付異常を検出することはできない。
【０００９】
本発明は、上記したような問題点を解決した、電動竪型射出成形機における金型取付異常検出方法を提供することを目的としており、具体的にはシンプルで安価に実施できる方法でありながら、金型の取付忘れ、異なるサイズの金型の取付、異なる組合せの金型の取付等による金型の取付異常を確実に検出することができ、それによって電動竪型射出成形機において金型の取付異常によって生じる溶融樹脂の飛散を防止することができる、電動竪型射出成形機における金型取付異常検出方法を提供することを目的としている。
【課題を解決するための手段】
【００１０】
本発明は、上記目的を達成するために、固定側金型が取り付けられている固定盤と、可動側金型が取り付けられている可動盤が、互いに上下に離間して水平に設けられている型締装置を備えた電動竪型射出成形機において、型締装置を駆動するとき、型締用サーボモータの駆動トルクを監視する。そして駆動トルクが最大となるピークトルクが所定の閾値を越えない場合には、金型の取付状態が異常であると判断するように構成する。あるいはピークトルクと型締完了時における駆動トルクの差が所定の差分閾値を越えない場合には金型の取付状態が異常であると判断するように構成する。
【００１１】
かくして、請求項１記載の発明は、上記目的を達成するために、固定側金型が取り付けられている固定盤と、可動側金型が取り付けられている可動盤が、互いに上下に離間して水平に設けられている型締装置を備えた電動竪型射出成形機において、型締工程において、前記型締装置を駆動する型締用サーボモータの駆動トルクを監視して、該駆動トルクが最大となるピークトルクが所定の閾値を越えない場合には、金型の取付状態が異常であると判断するように構成する。
請求項２に記載の発明は、固定側金型が取り付けられている固定盤と、可動側金型が取り付けられている可動盤が、互いに上下に離間して水平に設けられている型締装置を備えた電動竪型射出成形機において、型締工程において、前記型締装置を駆動する型締用サーボモータの駆動トルクを監視して、該駆動トルクが最大となるピークトルクと型締完了時における駆動トルクの差が所定の差分閾値を越えない場合には、金型の取付状態が異常であると判断するように構成する。
そして請求項３に記載の発明は、請求項１または２に記載の方法において、金型の取付状態が異常であると判断したら成形サイクルを停止するように構成する。
【発明の効果】
【００１２】
以上のように、本発明は、電動竪型射出成形機の型締工程において、型締装置を駆動する型締用サーボモータの駆動トルクを監視して、該駆動トルクが最大となるピークトルクが所定の閾値を越えない場合には、金型の取付状態が異常であると判断する。金型の取付忘れ、異なるサイズの金型の取付、異なる組合せの金型の取付等の金型の取付異常があると、型締工程のときに型締用サーボモータの駆動トルクは十分に大きくならない。そうすると最大となるピークトルクも小さくなるが、本発明はこれを所定の閾値によって判断するので簡単に金型の取付異常を判断することができる。従って金型の取付異常が原因で生じる危険、例えば溶融樹脂が外部に飛散してしまうような危険を防止することができ、操作者の安全を確保することができる。また他の発明によると、型締工程において、型締装置を駆動する型締用サーボモータの駆動トルクを監視して、該駆動トルクが最大となるピークトルクと型締完了時における駆動トルクの差が所定の差分閾値を越えない場合には、金型の取付状態が異常であると判断するように構成されている。つまり異常を判断するのに、型締完了時における駆動トルクを基準に相対的に判断するように構成されている。そうすると、取り付けられる金型や射出装置の重量の違いを考慮しなくても、正確に異常を検出することができる。また他の発明によると、金型の取付状態が異常であると判断したら成形サイクルを停止するように構成されているので、操作者の安全が確保されることになる。
【図面の簡単な説明】
【００１３】
【図１】本発明の実施の形態に係る電動竪型射出成形機を模式的に示す図であり、図中の一点鎖線の左側は型開した状態を、右側は型締した状態をそれぞれ示す正面図である。
【図２】本発明の実施の形態に係る電動竪型射出成形機における型締トルクの変化を示すグラフである。
【発明を実施するための形態】
【００１４】
以下、本発明の実施の形態について説明する。本実施の形態に係る電動竪型射出成形機１も、概略射出装置と型締装置２とから構成され、型締装置２が図１に示されている。型締装置２は、従来周知のように、固定側金型４が取り付けられている固定盤５と、可動側金型６が取り付けられていてこの固定盤５に対して型開閉される可動盤８と、型締ハウジング１０と、固定盤５を貫通して可動盤８と型締ハウジング１０とを連結している複数本のタイバー１１、１１、…と、固定盤５と型締ハウジング１０との間に設けられているトグル機構１３とから構成されている。この固定盤５と可動盤８は互いに垂直方向に離間して水平に設けられ、可動盤８は垂直方向に駆動されて型開閉するようになっている。本実施の形態に係る電動竪型射出成形機においても射出装置は可動盤８の上に設けられているが、図１には示されていない。
【００１５】
トグル機構１３も従来周知であり、短リンク１５、１５、長リンク１６、１６、クロスヘッド１７、中間リンク１８、１８、等から構成されている。短リンク１５、１５と長リンク１６、１６はそれぞれの端部どうしが枢着され、短リンク１５、１５と長リンク１６、１６の他方の端部は、それぞれ型締ハウジング１０と固定盤５に枢着されている。そして短リンク１５、１５とクロスヘッド１７は中間リンク１８、１８によって連結されている。このクロスヘッド１７は軸方向に設けられているボールネジ２０の先端に固着され、ボールネジ２０にはボールナット２１が螺合している。そしてこのボールナット２１は、型締ハウジング１０の下端部に軸方向の移動が規制されていると共に回転自在に設けられている。従ってボールナット２１を駆動するとボールネジ２０とクロスヘッド１７が軸方向に駆動され、それによってトグル機構が駆動されることになる。このボールナット２１には従動プーリ２３が固着されている。そして型締ハウジング１０の側部には型締用サーボモータ２５が設けられ、型締用サーボモータ２５に設けられている駆動プーリ２６と従動プーリ２３にはベルト２８が掛け回されている。従って型締用サーボモータ２５を駆動するとトグル機構１３を駆動でき、型締装置２を型開閉することができる。
【００１６】
型締用サーボモータ２５は、コントローラ２９からの指令によって駆動されるようになっている。実際にはコントローラ２９は、型締用サーボモータ２５に供給する電力を制御して、それによって型締用サーボモータ２５の回転速度、トルク等を制御しているが、図１においては、コントローラ２９と型締用サーボモータ２５は直接信号ライン３０によって接続されているように示されている。コントローラ２９においては型締用サーボモータ２５に供給される電流を検出することができるので、型締用サーボモータ２５の負荷トルク、あるいは駆動トルクを検出することができる。
【００１７】
このように構成されている本実施の形態に係る電動竪型射出成形機１において、型締工程を実施するために型締用サーボモータ２５を駆動するとき、金型４、６が正常に取り付けられている場合には、図２において、符号３５のグラフで示されているように駆動トルクが変化する。すなわち型締開始時には型締用サーボモータ２５の負荷トルク、すなわち駆動トルクは小さい。そして金型４、６がタッチする金型タッチ位置に達するまでは、型締用サーボモータ２５は、可動盤８、型締ハウジング１０、タイバー１１、１１、…、および射出装置の重量を支えながら駆動するだけなので、駆動トルクの増加率は小さい。しかしながら金型タッチ位置を越えると、タイバー１１、１１、…が伸びて金型４、６間に型締力が発生するので、急激に駆動トルクは増加する。引き続き型締用サーボモータ２５を駆動すると駆動トルクが最大となる、いわゆるピークトルク３６に達し、その後駆動トルクは低下する。型締完了時の駆動トルクは符号３７で示されている。
【００１８】
金型４、６を取り付け忘れている場合、例えば可動側金型６が可動盤８に取り付けられていない場合には、型締工程において、符号３８のグラフで示されているように駆動トルクが変化する。すなわち型締開始時には駆動トルクは小さく、徐々に駆動トルクが増加する。しかしながら型締完了位置まで金型はタッチしないので、駆動トルクの増加率は大きくはない。その後緩やかにピークトルク４０に達した後にわずかに駆動トルクは低下して型締完了に至る。なお型締開始時において符号３５のグラフよりも駆動トルクが小さいのは、可動側金型６が取り付けられていない分だけ型締装置が支えるべき重量が小さく、それによって駆動トルクも小さくなっているからである。
【００１９】
本実施の形態においては、閾値Ｓを設定して、型締用サーボモータ２５のピークトルクが、この閾値Ｓに達しない場合には金型の取付状態が異常になっていると判断するようにする。第１の実施の形態に係る金型の取付異常検出方法は、このピークトルクを絶対的に判断するのではなく、相対的に判断する。具体的には次のようにする。コントローラ２９は、型締工程において検出された駆動トルクの変化曲線３８を記憶領域に記憶する。そして正常な状態における駆動トルクの変化曲線３５の型締完了時の駆動トルク３７と、記憶された駆動トルクの変化曲線３８における型締完了時の駆動トルク４１とが一致するように、駆動トルクの変化曲線３８を平行移動する。このようにして平行移動した曲線が、図２において符号３８’で示されている。平行移動することによってピークトルク４０もピークトルク４０’に移動する。この平行移動後のピークトルク４０’が閾値Ｓに達していない場合には、金型の取付状態が異常になっていると判断する。このようにして金型の取付状態の異常を検出したら電動竪型射出成形機において成形サイクルを停止する。第１の実施の形態に係る金型の取付異常検出方法は、このようにピークトルクを相対的に判断するので、可動側金型６の重さが異なったり射出装置の重量が変化して駆動トルクの変化曲線が異なったとしても、その都度閾値Ｓを調整することなく、確実に金型の取付異常を検出することができる。
【００２０】
図２において平行移動した変化曲線３８’を検討すると、ピークトルク４０’が閾値Ｓに達しているか否かは、ピークトルク４０’と型締完了時の型締トルク４１’の差分が、所定の閾値、すなわち差分閾値Ｔに達しているか否かで判定できることが分かる。第１の実施の形態に係る金型の取付異常検出方法においては、正常な状態における駆動トルクの変化曲線３５に、型締完了時の駆動トルクが一致するように変化曲線３８を平行移動するようにしている。すなわち正常な状態における駆動トルクの変化曲線３５が必須になっている。しかしながら、差分閾値Ｔが与えられれば、正常な状態における駆動トルクの変化曲線３５は必ずしも必要ではなく、平行移動する必要もなくなる。次のようにして第１の実施の形態に係る金型の取付異常検出方法と実質的に同等な方法を実施することができる。すなわち、ピークトルク４０と、型締完了時の型締トルク４１の差を計算し、これと差分閾値Ｔとを比較する。そして差分閾値Ｔに達しているときには金型の取付状態は正常であり、達していない場合には異常であると判断する。
【００２１】
第２の実施の形態に係る金型の取付異常検出方法は、このピークトルクを相対的ではなく絶対的に判断する。具体的には型締工程において検出された駆動トルクの変化曲線３８について、そのピークトルク４０が閾値Ｓに達しているかどうかを判断する。そして閾値Ｓに達している場合は金型の取付状態は正常、達していない場合には異常と判断する。金型の取付状態が異常と判断された場合には成形サイクルを停止する。
【符号の説明】
【００２２】
１      電動竪型射出成形機      ２      型締装置
４      固定側金型              ５      固定盤
６      可動側金型              ８      可動盤
１０      型締ハウジング        １１      タイバー
１３      トグル機構            ２５      型締用サーボモータ
２９      コントローラ
３６、４０  ピークトルク
３７、４１  型締完了時の駆動トルク
Ｓ      閾値                    Ｔ      差分閾値
【図１】
0005666413.tif 000002
【図２】
0005666413.tif 000003